(57)【要約】【課題】シリンダキャップが扉面を凹ますことがないとともに、錠穴付台座周縁が扉面から浮上して隙間の生じることがなく、しかも、シリンダキャップが移動することによる音鳴りが防止できる錠穴付台座の取付構造を得る。【解決手段】錠穴付台座の取付構造において、扉面１１ａから突出して取り付けられ外周が円形状となるシリンダ錠１５と、このシリンダ錠１５に外嵌するシリンダ支持筒の基端に扉面１１ａに当接する基台部が連設され基台部には扉面１１ａと平行な当接座部が形成されたシリンダキャップと、このシリンダキャップの当接座部に設けられ弾性材料からなるクッションシートと、シリンダキャップを覆いシリンダ錠１５を貫通穴に挿通して表出させ扉面１１ａに固定されるとともにクッションシートを介して当接座部に当接してシリンダキャップを扉面１１ａに押圧する当接壁を有した錠穴付台座２５とを設けた。【選択図】      図１
2008031648.tif 000002
【特許請求の範囲】
【請求項１】
扉面から突出して取り付けられ外周が円形状となるシリンダ錠と、
該シリンダ錠に外嵌するシリンダ支持筒の基端に前記扉面に当接する基台部が連設され該基台部には前記扉面と略平行な当接座部が形成されたシリンダキャップと、
該シリンダキャップの前記当接座部に設けられ弾性材料からなるクッションシートと、
前記シリンダキャップを覆い前記シリンダ錠を貫通穴に挿通して鍵穴面を表出させ前記扉面に固定されるとともに前記クッションシートを介して前記当接座部に当接して前記シリンダキャップを前記扉面に押圧する当接壁を有した錠穴付台座と、
を具備したことを特徴とする錠穴付台座の取付構造。
【請求項２】
前記錠穴付台座の貫通穴が、前記扉の幅方向には前記シリンダ錠の外径と略同一の短径であるとともに前記扉の上下方向には該短径より大きい長径である長穴に形成されたことを特徴とする請求項１記載の錠穴付台座の取付構造。
【請求項３】
前記扉の上下方向に一対の前記シリンダ錠が設けられ、
長尺に形成された操作部材の長手方向両端が一対の前記錠穴付台座に可動自在に支持され、
一対の前記シリンダ錠のそれぞれを貫通させた少なくとも一方の前記錠穴付台座の内部に、前記シリンダキャップ及び前記クッションシートが収容されたことを特徴とする請求項１又は２記載の錠穴付台座の取付構造。
【請求項４】
前記当接壁が、円筒状の周壁であることを特徴とする請求項１，２，３のいずれか１つに記載の錠穴付台座の取付構造。
【請求項５】
前記シリンダ支持筒の少なくとも先端面が、前記錠穴付台座より彩度の低い色合いで形成されたことを特徴とする請求項１，２，３，４のいずれか１つに記載の錠穴付台座の取付構造。
【発明の詳細な説明】
【技術分野】
【０００１】
本発明は、扉面から突出した筒状のシリンダ錠を貫通し鍵穴面を表出状態とし扉面に固定される錠穴付台座の取付構造に関する。
【背景技術】
【０００２】
住宅玄関扉等には、種々の施解錠装置が配設されるが、近年、美観、操作性、機能性等を兼ね備えたものとして、上下方向長尺に形成されたグリップハンドルの上下端を、台座を介して可動自在に扉表面に取り付けた所謂プッシュプル錠を採用することがある。このプッシュプル錠は、例えば外開きの玄関扉に取り付けられる場合、室内側に取り付けられるグリップハンドルは、扉を開放する際、台座に対しグリップハンドルが押し込み方向に僅かに可動することで、扉に内蔵された錠箱のラッチボルトを錠箱内へ後退させ、扉を開放可能にする。一方、屋外側に取り付けられるグリップハンドルは、扉を開放する際、台座に対しグリップハンドルが引っ張り方向に僅かに可動することで、扉に内蔵された錠箱のラッチボルトを錠箱内へ後退させ、扉を開放可能にする。すなわち、扉の開放方向と、ラッチボルトの後退操作方向とを一致させ、扉の良好な開放操作性を実現している。また、上下の台座には、それぞれシリンダ錠が内蔵され、すなわち１ドア２ロック構造を採用し、防犯性を向上させている。
【０００３】
ここで、ラッチボルトを内蔵する錠箱と、グリップハンドルと一体に組み立てられた台座とは、それぞれ別途に扉に取付け固定される。錠箱には本締め時に使用されるデッドボルトが内蔵され、デッドボルトは錠箱に基端が固定されたシリンダ錠によって進退操作（施解錠操作）される。したがって、扉の室内側に設けられるグリップハンドルの台座には、扉面から突出したシリンダ錠を挿入するための貫通穴が設けられている。これにより、扉の屋外側に台座を取付け固定したときには、台座の貫通穴にシリンダ錠を挿入することで、台座とシリンダ錠とが一体的に組み付けられる。
【０００４】
このような錠穴付台座の取付構造では、錠箱の取付誤差や部品交差の積み上げにより、シリンダ錠に対して錠穴付台座の貫通穴が位置ずれする場合がある。そこで、一般的に、シリンダ錠の外径に対して貫通穴は、大径に形成されている。つまり、シリンダ錠の外径と貫通穴の内径とには隙間が形成されるようになっている。そのため、シリンダ錠の外周にはシリンダキャップが外嵌され、このシリンダキャップがシリンダ錠を表出させた錠穴付台座によって覆われることで、隙間を通じて台座内部の見えることを防止し、見栄えの低下を回避していた。
【発明の開示】
【発明が解決しようとする課題】
【０００５】
しかしながら、従来の錠穴付台座の取付構造は、シリンダ錠にシリンダキャップを外挿し、このシリンダキャップを錠穴付台座によって覆っていたため、シリンダキャップが軸線方向に移動して扉面或いは錠穴付台座内壁に衝接し、音鳴りを生じさせる問題があった。その一方、錠穴付台座の内壁から、シリンダキャップの移動を規制する突起等を突設すれば、錠穴付台座が過剰に扉面に締め付け固定されると、錠穴付台座に押圧されるシリンダキャップが扉面を凹ませたり、或いは扉面が凹まない場合には、シリンダキャップと扉面との当接点が支点となり、錠穴付台座が変形して台座周縁と扉面とに隙間が発生する問題があった。また、シリンダ錠と貫通穴とに大きな位置ずれが発生していると、シリンダ錠に対して貫通穴が偏芯し、シリンダ錠と貫通穴との間に歪な環状隙間の発生する場合があった。このような歪な環状隙間が発生すると、偏芯により円周の一部分で大きくなった間隙が形成され、均等な環状隙間では発生することのなかった隙間風がこの拡大された間隙を通過する虞があった。さらに、錠穴付台座は、上下方向に位置調整できないと、錠穴付台座から突出した作動部材と錠箱から突出した入力部材とを係合・連結連動状態にできず、作動部材と入力部材とが離反することによるラッチ操作力の入力不良を生じさせる虞があった。
【０００６】
本発明は上記状況に鑑みてなされたもので、その第１の目的は、シリンダキャップが扉面を凹ますことがないとともに、錠穴付台座周縁が扉面から浮上して隙間の生じることがなく、しかも、シリンダキャップが移動することによる音鳴りが防止できる錠穴付台座の取付構造を提供することにある。また、その第２の目的は、貫通穴の横方向片側に偏ってシリンダ錠が配置される見栄えの悪さを無くすことができるとともに、隙間風を抑制でき、しかも、錠穴付台座から突出した作動部材と錠箱から突出した入力部材との係合状態を確実に調整することが可能となる錠穴付台座の取付構造を提供することにある。
【課題を解決するための手段】
【０００７】
次に、上記の課題を解決するための手段を、実施の形態に対応する図面を参照して説明する。
本発明の請求項１記載の錠穴付台座の取付構造は、扉面１１ａから突出して取り付けられ外周が円形状となるシリンダ錠１５と、
該シリンダ錠１５に外嵌するシリンダ支持筒４３ａの基端に前記扉面１１ａに当接する基台部４３ｂが連設され該基台部４３ｂには前記扉面１１ａと略平行な当接座部４５が形成されたシリンダキャップ４３と、
該シリンダキャップ４３の前記当接座部４５に設けられ弾性材料からなるクッションシート４７と、
前記シリンダキャップ４３を覆い前記シリンダ錠１５を貫通穴５１に挿通して鍵穴面を表出させ前記扉面１１ａに固定されるとともに前記クッションシート４７を介して前記当接座部４５に当接して前記シリンダキャップ４３を前記扉面１１ａに押圧する当接壁５５を有した錠穴付台座２５と、
を具備したことを特徴とする。
【０００８】
この錠穴付台座の取付構造では、錠穴付台座２５が扉面１１ａに固定されると、当接壁５５の先端がクッションシート４７を介してシリンダキャップ４３の当接座部４５を押圧し、シリンダキャップ４３の基台部４３ｂが扉面１１ａに当接する。シリンダキャップ４３は、当接座部４５が、クッションシート４７を介して当接壁５５に押圧されるので、螺合固定時に過剰な押圧力が作用しても、クッションシート４７が弾性変形し、扉面１１ａへの当接力が一定となる。また、錠穴付台座２５の過剰な取付力がクッションシート４７の変形によって吸収され、当接壁５５が支点となって、扉面１１ａからの反力により錠穴付台座２５が変形しなくなる。さらに、錠穴付台座２５が取り付けられた状態では、シリンダキャップ４３が常に扉面１１ａと当接壁５５とに挟持され、シリンダキャップ４３が移動しなくなる。
【０００９】
請求項２記載の錠穴付台座の取付構造は、前記錠穴付台座２５の貫通穴５１が、前記扉１１の幅方向には前記シリンダ錠１５の外径Ｄ２と略同一の短径５９であるとともに前記扉１１の上下方向には該短径Ｄ２より大きい長径６１である長穴に形成されたことを特徴とする。
【００１０】
この錠穴付台座の取付構造では、意匠的に見栄えを低下させる扉幅方向については、シリンダ錠１５が貫通穴５１に嵌合することで、貫通穴５１の中心にシリンダ錠１５が配置される。一方、見栄えに影響を与えに難い上下方向については、シリンダ錠１５に対して貫通穴５１が長径６１の範囲で変位可能となり、シリンダ錠１５の取付誤差や、部品交差の積み上げによる位置ずれが吸収可能となる。また、シリンダ錠１５に対して上下方向に貫通穴５１が変位可能となり、錠穴付台座２５から突出した作動部材３９と錠箱１９から突出した入力部材との係合状態を確実に調整することが可能となる。
【００１１】
請求項３記載の錠穴付台座の取付構造は、前記扉１１の上下方向に一対の前記シリンダ錠１５，１７が設けられ、
長尺に形成された操作部材２３の長手方向両端が一対の前記台座２５，２７に可動自在に支持され、
一対の前記シリンダ錠１５，１７のそれぞれを貫通させた少なくとも一方の前記錠穴付台座２５の内部に、前記シリンダキャップ４３及び前記クッションシート４７が収容されたことを特徴とする。
【００１２】
この錠穴付台座の取付構造では、それぞれのシリンダ錠１５，１７と貫通穴５１とに生じている位置ずれを一方のシリンダ錠１５の側に片寄せることが可能となる。
【００１３】
請求項４記載の錠穴付台座の取付構造は、前記当接壁５５が、円筒状の周壁５７であることを特徴とする。
【００１４】
この錠穴付台座の取付構造では、錠穴付台座２５が扉面１１ａに取り付けられると、錠穴付台座２５の裏面で、貫通穴５１を包囲するように設けられた円筒状の周壁先端５７ａがクッションシート４７に当接し、貫通穴５１とシリンダ錠１５との隙間を通過した外部からの空気が、周壁５７の外側（錠穴付台座の内部）へ漏れ出なくなる。
【００１５】
請求項５記載の錠穴付台座の取付構造は、前記シリンダ支持筒４３ａの少なくとも先端面６５が、前記錠穴付台座２５より彩度の低い色合いで形成されたことを特徴とする。
【００１６】
この錠穴付台座の取付構造では、貫通穴５１とシリンダ錠１５との隙間に露出するシリンダ支持筒先端面６５が、目立たなくなる。
【発明の効果】
【００１７】
本発明に係る請求項１記載の錠穴付台座の取付構造によれば、扉面から突出するシリンダ錠と、シリンダ錠に外嵌するシリンダ支持筒の基端に基台部が連設されこの基台部に当接座部が形成されたシリンダキャップと、当接座部に設けられるクッションシートと、シリンダキャップを覆いシリンダ錠を貫通穴に挿通して表出させるとともにクッションシートを介して当接座部を押圧する当接壁を有した錠穴付台座とが設けられたので、錠穴付台座を扉面に固定すると、当接壁の先端がクッションシートを介してシリンダキャップの当接座部を押圧し、シリンダキャップの基台部が扉面に当接する。シリンダキャップは、当接座部が、クッションシートを介して当接壁に押圧されるので、螺合固定時に過剰な押圧力が作用しても、クッションシートが弾性変形し、扉面への当接力が一定となる。これにより、基台部が過大な押圧力で扉面に押圧され、扉面を凹ますことがない。また、錠穴付台座の過剰な取付力がクッションシートの変形によって吸収されるので、当接壁が支点となって扉面からの反力により錠穴付台座が変形し、錠穴付台座周縁が扉面から浮上して隙間の生じることを防止できる。さらに、錠穴付台座が取り付けられた状態では、シリンダキャップが常に扉面と当接壁とに挟持されるので、シリンダキャップが移動することによる音鳴りを防止することができる。
【００１８】
請求項２記載の錠穴付台座の取付構造によれば、錠穴付台座の貫通穴が、扉の幅方向にはシリンダ錠の外径と略同一の短径であるとともに扉の上下方向には短径より大きい長径である長穴に形成されたので、意匠的に見栄えを低下させる扉幅方向については、シリンダ錠が貫通穴に嵌合することで、貫通穴の中心にシリンダ錠が配置されることとなり、貫通穴の横方向片側に偏ってシリンダ錠が配置される見栄えの悪さを無くすことができる。一方、見栄えに影響を与えに難い上下方向については、シリンダ錠に対して貫通穴が長径の範囲で変位可能となり、シリンダ錠の取付誤差や、部品交差の積み上げによる位置ずれを吸収して、取付けを可能にすることができる。また、シリンダ錠に対して上下方向に貫通穴が変位可能となるので、錠穴付台座から突出した作動部材と錠箱から突出した入力部材との係合状態・連結状態或いは連動状態を確実に調整することが可能となり、錠穴付台座の位置ずれにより、作動部材と入力部材とが離反することによるラッチ操作力の入力不良を防止することができる。
【００１９】
請求項３記載の錠穴付台座の取付構造によれば、扉の上下方向に一対のシリンダ錠が設けられ、長尺に形成された操作部材の長手方向両端が一対の錠穴付台座に可動自在に支持され、一対のシリンダ錠のそれぞれを貫通させた少なくとも一方の錠穴付台座の内部に、シリンダキャップ及びクッションシートが収容されたので、それぞれのシリンダ錠と貫通穴とに生じている位置ずれを一方のシリンダ錠の側に片寄せることができ、必要最小限の部材を用いて、位置決めや、見栄えの向上を行うことができる。
【００２０】
請求項４記載の錠穴付台座の取付構造によれば、当接壁が、円筒状の周壁であるので、錠穴付台座が扉面に取り付けられると、錠穴付台座の裏面で、貫通穴を包囲するように設けられた円筒状の周壁先端がクッションシートに当接し、貫通穴とシリンダ錠との隙間を通過した外部からの空気が、周壁の外側（錠穴付台座の内部）へ漏れ出ることを防止できる。この結果、貫通穴とシリンダ錠との隙間を介して室内へ流入する隙間風を抑止できる。
【００２１】
請求項５記載の錠穴付台座の取付構造によれば、シリンダ支持筒の少なくとも先端面が、錠穴付台座より彩度の低い色合いで形成されたので、貫通穴とシリンダ錠との隙間に露出するシリンダ支持筒先端面が、目立たなくなり、錠全体のデザイン性や見栄えの低下を防止することができる。
【発明を実施するための最良の形態】
【００２２】
以下、本発明に係る錠穴付台座の取付構造の好適な実施の形態を図面を参照して詳細に説明する。
図１は本発明に係る錠穴付台座の取付構造が採用された扉の斜視図、図２は図１に示した操作部材の縦断面図、図３は図２に示した台座貫通穴部の縦断面図である。
本実施の形態による錠台座穴の隙間隠し構造は、扉１１の扉面（屋外面）１１ａに取り付けられるプッシュプル錠を備えるグリップハンドル１３に採用される例として説明する。
【００２３】
扉１１の上下方向には一対のシリンダ錠１５，１７が設けられている。それぞれのシリンダ錠１５，１７は、扉１１に内蔵された上下一対の錠箱１９，２１に基端が固定され、屋外面１１ａから先端側が突出している。
【００２４】
長尺に形成されたレバーハンドル状の操作部材としてのハンドル２３の長手方向両端は、一対の錠穴付台座（台座）２５，２７に可動自在に支持されている。本実施の形態では、扉１１が外開きである場合を例に説明する。そのため、図に示すハンドル２３は、引っ張り方向に可動自在となる。
【００２５】
上下それぞれの錠箱１９，２１にはデッドボルト２９，３１がフロント板３３，３５から進退自在に設けられている。このデッドボルトは、屋外面１１ａから突出した一対のシリンダ錠１５，１７がそれぞれ施解錠操作されることで、それぞれの錠箱１９，２１から進退する。
【００２６】
また、本実施の形態では、上側の錠箱１９に、ラッチボルト３７が進退自在に設けられている。図２に示すように、上側の台座２５の裏面からは作動部材（ラッチボルト作動片）３９が突出し、ラッチボルト作動片３９はハンドル２３が引っ張り方向に操作されることで、上側の錠箱１９内の不図示のラッチボルト進退機構を、不図示の入力部材を介して作動させて、ラッチボルト３７を錠箱１９内へ後退させる。
【００２７】
なお、図２中、４１は台座２５，２７から突設された雌ネジボスを表し、この雌ネジボスは室内側から取り付けられた不図示の台座に挿通されるビスと螺合する。つまり、扉１１は、屋外側と屋内側との双方から取り付けられるグリップハンドルによって挟持されることとなる。
【００２８】
本実施の形態による錠穴付台座の取付構造は、上下のシリンダ錠１５，１７に採用される場合を例に説明するが、本発明に係る錠穴付台座の取付構造は、上側のシリンダ錠１５のみ、或いは下側のシリンダ錠１５，１７のみに採用されても良い。なお、本実施の形態による錠穴付台座の取付構造は、上下のシリンダ錠１５，１７で同一の構成となるため、上側のシリンダ錠１５についてのみ説明し、下側のシリンダ錠１７についての説明は省略する。
【００２９】
図４は本発明に係る取付構造の分解斜視図、図５は図４に示した貫通穴部の正面図、図６は図４に示したシリンダキャップとクッションシートとの分解斜視図である。
図４に示すように、シリンダ錠１５にはシリンダキャップ４３が外挿される。シリンダキャップ４３は、シリンダ錠１５に外嵌するシリンダ支持筒４３ａと、扉１１の屋外面１１ａに当接する基台部４３ｂとが連設されてなる。シリンダ支持筒４３ａは、内径Ｄ１がシリンダ錠１５の外径Ｄ２と略同一に形成され、シリンダ錠１５に外嵌可能となっている。
【００３０】
図６に示すように、基台部４３ｂは上部折曲片４３ｃと、下部折曲片４３ｄとからなる略コ字形状に形成される。シリンダ支持筒４３ａの付設される基部は、屋外面１１ａと略平行な当接座部４５となる。当接座部４５には弾性材料からなるクッションシート４７が付設され、クッションシート４７はシリンダ支持筒４３ａに穴４９を挿通してシリンダキャップ４３に装着される。したがって、シリンダキャップ４３に装着されたクッションシート４７は、当接座部４５を覆うこととなる。
【００３１】
台座２５は、扉１１の屋外面１１ａに固定されることで、シリンダキャップ４３を覆うとともに、シリンダ錠１５を貫通穴５１に挿通して、鍵穴５３を表出させる。また、台座２５の裏面には、貫通穴５１の近傍に当接壁５５が突設されている。当接壁５５は、台座２５が扉１１に固定されることで、クッションシート４７を介して当接座部４５に当接して、シリンダキャップ４３を屋外面１１ａに押圧する。
【００３２】
当接壁５５は、円筒状の周壁５７であることが好ましい。当接壁５５が、円筒状の周壁であることにより、台座２５が屋外面１１ａに取り付けられると、台座２５の裏面で、貫通穴５１を包囲するように設けられた円筒状の周壁先端５７ａがクッションシート４７に当接し、貫通穴５１とシリンダ錠１５との隙間を通過した外部からの空気が、周壁５７の外側（台座２５の内部）へ漏れ出ることを防止できる。この結果、貫通穴５１とシリンダ錠１５との隙間を介して室内へ流入する隙間風を抑止できる。
【００３３】
また、台座２５の貫通穴５１は、図５に示すように、扉１１の幅方向にはシリンダ錠１５の外径Ｄ２と略同一の短径５９であるとともに、扉１１の上下方向にはこの短径５９より大きい長径６１である長穴に形成されることが好ましい。なお、図５中、６３は貫通穴５１の案内テーパ面を表す。また、図５では、傾斜面２５ａとなる台座２５の表面に貫通穴５１が穿設されるため、案内テーパ面６３の幅が円周方向で一律となっていない。
【００３４】
このように、台座２５の貫通穴５１が、扉１１の幅方向にはシリンダ錠１５の外径Ｄ２と略同一の短径５９であるとともに、扉１１の上下方向には短径５９より大きい長径６１である長穴に形成されたので、意匠的に見栄えを低下させる扉幅方向については、シリンダ錠１５が貫通穴５１に嵌合することで、貫通穴５１の中心にシリンダ錠１５が配置されることとなり、貫通穴５１の横方向片側に偏ってシリンダ錠１５が配置される見栄えの悪さを無くすことができる。
【００３５】
一方、見栄えに影響を与え難い上下方向については、シリンダ錠１５に対して貫通穴５１が長径６１の範囲で変位可能となり、シリンダ錠１５の取付誤差や、部品交差の積み上げによる位置ずれを吸収して、取付けを可能にすることができる。また、シリンダ錠１５に対して上下方向に貫通穴５１が変位可能となるので、台座２５から突出したラッチボルト作動片３９と錠箱１９から突出した不図示の入力部材との係合状態や連結状態を確実に調整することが可能となり、台座２５の位置ずれにより、ラッチボルト作動片３９と入力部材とが離反することによるラッチ操作力の入力不良を防止することができる。
【００３６】
また、シリンダ支持筒４３ａの少なくとも先端面６５は、台座２５より彩度の低い色合いで形成されることが好ましい。シリンダ支持筒４３ａがこのように彩度の低い色合い、例えばグレーなどで形成されることで、貫通穴５１とシリンダ錠１５との隙間に露出するシリンダ支持筒４３ａの先端面６５が、目立たなくなり、錠全体のデザイン性や見栄えの低下を防止することができる。
なお、シリンダ支持筒４３ａは、台座２５或いはシリンダ錠１５と同一の色・彩度で形成されてもよい。その場合、隙間に露出するシリンダ支持筒４３ａの先端面６５は台座２５或いはシリンダ錠１５と連続した面のように見れる。
【００３７】
次に、本発明に係る取付構造の作用を説明する。
図７はシリンダキャップの未挿入状態を（ａ）、挿入後を（ｂ）で表した作用説明図、図８は錠穴付台座の締め付け固定前を（ａ）、締め付け固定後を（ｂ）で表した作用説明図である。
上記のように構成された錠穴付台座の取付構造では、図７（ａ）に示すように、錠箱１９に基端が固定されたシリンダ錠１５が扉１１の屋外面１１ａから突出している状態で、図７（ｂ）に示すように、シリンダキャップ４３がシリンダ錠１５へと挿入される。この際、シリンダキャップ４３には、予めクッションシート４７を装着しておいてもよい。
【００３８】
次いで、図８（ａ）に示すように、シリンダキャップ４３の挿入されたシリンダ錠１５に台座２５を被せ、台座２５の貫通穴５１からシリンダ錠１５を表出させる。次いで、台座２５から突設された雌ネジボス４１に、不図示の室内側の台座に挿通されたビスを螺合する。台座２５が屋外面１１ａに固定されると、当接壁５５の先端がクッションシート４７を介してシリンダキャップ４３の当接座部４５を押圧し、シリンダキャップ４３の基台部４３ｂが屋外面１１ａに当接する。
【００３９】
この際、シリンダキャップ４３は、当接座部４５が、クッションシート４７を介して当接壁５５に押圧されるので、螺合固定時に過剰な押圧力が作用しても、図８（ｂ）に示すように、クッションシート４７が弾性変形し、屋外面１１ａへの当接力が一定となる。また、台座２５の過剰な取付力がクッションシート４７の変形によって吸収され、当接壁５５が支点となって、屋外面１１ａからの反力により台座２５が変形しなくなる。さらに、台座２５が取り付けられた状態では、シリンダキャップ４３が常に屋外面１１ａと当接壁５５とに挟持され、シリンダキャップ４３が移動しなくなる。
【００４０】
上記の錠穴付台座の取付構造によれば、屋外面１１ａから突出するシリンダ錠１５と、シリンダ錠１５に外嵌するシリンダ支持筒４３ａの基端に基台部４３ｂが連設されこの基台部４３ｂに当接座部４５が形成されたシリンダキャップ４３と、当接座部４５に設けられるクッションシート４７と、シリンダキャップ４３を覆いシリンダ錠１５を貫通穴５１に挿通して表出させるとともにクッションシート４７を介して当接座部４５を押圧する当接壁５５を有した台座２５とが設けられたので、台座２５を屋外面１１ａに固定すると、当接壁５５の先端がクッションシート４７を介してシリンダキャップ４３の当接座部４５を押圧し、シリンダキャップ４３の基台部４３ｂが屋外面１１ａに当接する。
【００４１】
シリンダキャップ４３は、当接座部４５が、クッションシート４７を介して当接壁５５に押圧されるので、螺合固定時に過剰な押圧力が作用しても、クッションシート４７が弾性変形し、屋外面１１ａへの当接力が一定となる。これにより、基台部４３ｂが過大な押圧力で屋外面１１ａに押圧され、屋外面１１ａを凹ますことがない。また、台座２５の過剰な取付力がクッションシート４７の変形によって吸収されるので、当接壁５５が支点となって屋外面１１ａからの反力により台座２５が変形し、台座２５の周縁７１（図３参照）が屋外面１１ａから浮上して隙間の生じることを防止できる。さらに、台座２５が取り付けられた状態では、シリンダキャップ４３が常に屋外面１１ａと当接壁とに挟持されるので、シリンダキャップ４３が移動することによる音鳴りを防止することができる。
【００４２】
なお、上述した実施の形態では、プッシュプル錠を備えるグリップハンドル１３の例で説明したが、本発明に係る錠穴付台座の取付構造は、扉に対するシリンダ錠と錠箱との組み付け、例えばシリンダ錠を含む錠機構部が予め扉側に固定され、それに対してノブやレバーハンドルなどの操作部材を備える錠箱を、シリンダ錠を貫通させて扉側に取付け固定するような構造など、その他の構造に対しても同様の効果を奏するものである。
【００４３】
また、上記の実施の形態では、上下のシリンダ錠１５，１７に取付構造が適用される場合を例に説明したが、本発明に係る錠穴付台座の取付構造は、扉１１の上下方向に一対のシリンダ錠１５，１７が設けられ、長尺に形成されたグリップハンドル１３の長手方向両端が一対の台座２５，２７に可動自在に支持され、一対のシリンダ錠１５，１７のそれぞれを貫通させた少なくとも一方の台座２５（又は２７）の内部に、シリンダキャップ４３及びクッションシート４７が収容されてもよい。このような構成によれば、それぞれのシリンダ錠１５，１７と貫通穴５１とに生じている位置ずれを一方のシリンダ錠２５（又は２７）の側に片寄せることができ、必要最小限の部材を用いて、見栄えを向上させることができる。
【図面の簡単な説明】
【００４４】
【図１】本発明に係る錠穴付台座の取付構造が採用された扉の斜視図である。
【図２】図１に示した操作部材の縦断面図である。
【図３】図２に示した台座貫通穴部の縦断面図である。
【図４】本発明に係る取付構造の分解斜視図である。
【図５】図４に示した貫通穴部の正面図である。
【図６】図４に示したシリンダキャップとクッションシートとの分解斜視図である。
【図７】シリンダキャップの未挿入状態を（ａ）、挿入後を（ｂ）で表した作用説明図である。
【図８】錠穴付台座の締め付け固定前を（ａ）、締め付け固定後を（ｂ）で表した作用説明図である。
【符号の説明】
【００４５】
１１ａ…扉面
１５，１７…シリンダ錠
２５，２７…錠穴付台座
３９…作動部材（ラッチボルト作動片）
４３…シリンダキャップ
４３ａ…シリンダ支持筒
４３ｂ…基台部
４５…当接座部
４７…クッションシート
５１…貫通穴
５５…当接壁
５７…周壁
５９…短径
６１…長径
６５…シリンダ支持筒の先端面
【図１】
2008031648.tif 000003
【図２】
2008031648.tif 000004
【図３】
2008031648.tif 000005
【図４】
2008031648.tif 000006
【図５】
2008031648.tif 000007
【図６】
2008031648.tif 000008
【図７】
2008031648.tif 000009
【図８】
2008031648.tif 000010